(57)【要約】【課題】  信仰心や心理に悪影響を与えることなく、廃墓石の利用範囲の拡大を図る。【解決手段】  札体２及び台座３を有した位牌１からなるメモリアル製品Ｍであって、墓を解体することにより生じる廃墓石として、墓の中心となる石碑１０から分断された該石碑１０の頭部２０を用い、札体２をこの頭部２０が切断されて所要形状の板状に造形された加工材Ｋで構成した。加工材Ｋの表面の全部若しくは一部が研磨されており、加工材Ｋの外側面の輪郭の一部を、頭部２０の外側面の輪郭の一部を残存させた残存部４０で構成し、加工材Ｋの正面３１に、文字５０を刻印した。【選択図】図１
2018102508.tif 000002
【特許請求の範囲】
【請求項１】
墓を解体することにより生じる廃墓石を用いたメモリアル製品において、
上記廃墓石が所要形状に造形された加工材を備えたことを特徴とする廃墓石を用いたメモリアル製品。
【請求項２】
上記加工材の表面の全部若しくは一部が研磨されていることを特徴とする請求項１記載の廃墓石を用いたメモリアル製品。
【請求項３】
上記加工材の外側面の輪郭の一部を、上記廃墓石の外側面の輪郭の一部を残存させた残存部で構成したことを特徴とする請求項１または２記載の廃墓石を用いたメモリアル製品。
【請求項４】
上記廃墓石として墓の中心となる石碑を用いたことを特徴とする請求項１乃至３何れかに記載の廃墓石を用いたメモリアル製品。
【請求項５】
上記廃墓石として上記石碑から分断された該石碑の頭部を用いたことを特徴とする請求項４記載の廃墓石を用いたメモリアル製品。
【請求項６】
上記加工材に、文字，図形，記号，模様，絵画，写真の少なくとも何れかを有した装飾を施したことを特徴とする請求項１乃至５何れかに記載の廃墓石を用いたメモリアル製品。
【請求項７】
上記加工材で構成され少なくとも文字が刻印された札体を備えた位牌であることを特徴とする請求項６記載の廃墓石を用いたメモリアル製品。
【請求項８】
上記加工材で構成され少なくとも文字が刻印された表札であることを特徴とする請求項６記載の廃墓石を用いたメモリアル製品。
【請求項９】
墓を解体することにより生じる廃墓石を用いてメモリアル製品を製造する廃墓石を用いたメモリアル製品の製造方法において、
上記廃墓石を所要形状の加工材に造形する造形工程と、
上記造形工程で造形された加工材の表面の全部若しくは一部を研磨する研磨工程とを備えたことを特徴とする廃墓石を用いたメモリアル製品の製造方法。
【請求項１０】
上記造形工程において、上記加工材の外側面の輪郭の一部に、上記廃墓石の外側面の輪郭の一部からなる残存部が残存するように造形することを特徴とする請求項９記載の廃墓石を用いたメモリアル製品の製造方法。
【請求項１１】
上記廃墓石として墓の中心となる石碑を用いたことを特徴とする請求項９または１０記載の廃墓石を用いたメモリアル製品の製造方法。
【請求項１２】
上記造形工程の前に、上記石碑から該石碑の頭部を分断する分断工程を備え、上記廃墓石として上記石碑から分断された該石碑の頭部を用いたことを特徴とする請求項１１記載の廃墓石を用いたメモリアル製品の製造方法。
【請求項１３】
上記加工材に、文字，図形，記号，模様，絵画，写真の少なくとも何れかを有した装飾を施す装飾工程を備えたことを特徴とする請求項９乃至１２何れかに記載の廃墓石を用いたメモリアル製品の製造方法。
【請求項１４】
上記メモリアル製品は、上記加工材で構成され少なくとも文字が刻印された札体と、該札体を支持する台座とを備えた位牌であり、上記台座を予め作成し、上記札体を上記予め作成した台座に取付ける取付け工程を備えたことを特徴とする請求項１３記載の廃墓石を用いたメモリアル製品の製造方法。
【請求項１５】
上記メモリアル製品は、上記加工材で構成され少なくとも文字が刻印された表札であることを特徴とする請求項１３記載の廃墓石を用いたメモリアル製品の製造方法。
【発明の詳細な説明】
【技術分野】
【０００１】
本発明は、墓を解体することにより生じる廃墓石の利用技術に係り、特に、この廃墓石を用いたメモリアル製品及びその製造方法に関する。
【背景技術】
【０００２】
従来から、老朽化や管理者が不明になる等して不要になった墓は、所謂「墓じまい」（「改葬」）といわれ、墓を解体して撤去している。近年は、墓の管理者がいても、少子高齢化や核家族化が進み、墓の管理ができにくいことなどに起因して、この「墓じまい」が増加傾向にある。「墓じまい」の際には、供養を行い、その後、例えば、遺骨を別の新しい墓や合祀墓，納骨堂に納骨したり、海洋散骨や自然葬をする等している。
【０００３】
この墓の解体に際しては、解体することにより廃墓石が生じるが、廃墓石は、信仰上の理由や心理的要因から、再利用しにくく、墓所の周囲に野積みし、あるいは、投棄するなどしている。また、廃墓石を、破砕機により破砕して破砕石としてそのまま、あるいはまた、この破砕石を突起や角が取れた玉石に加工し、堰堤の護岸材料，傾斜地での石垣材料，路盤材料や道路工事用の砂利等の土木材料としてリサイクルすることも行っている（例えば、特開２００７−２６８８８２号公報掲載）。
【先行技術文献】
【特許文献】
【０００４】
【特許文献１】特開２００７−２６８８８２号公報
【発明の概要】
【発明が解決しようとする課題】
【０００５】
ところで、上記従来の廃墓石の利用技術においては、破砕石や、多少加工した玉石にして、土木材料としてリサイクルすることは行ってはいるが、その利用範囲は、信仰上の理由や心理的要因から、極めて狭くなっているという問題があった。一方、今までの墓が無くなるというのは、墓に係わり合いのある親族や関連者等にとっては少しさびしい気がし、安心が得られないこともある。
本発明は上記の問題点に鑑みて為されたもので、信仰心や心理に悪影響を与えることなく、廃墓石の利用範囲の拡大を図った廃墓石を用いたメモリアル製品及びその製造方法を提供することを目的とする。
【課題を解決するための手段】
【０００６】
このような目的を達成するため、本発明のメモリアル製品は、墓を解体することにより生じる廃墓石を用いたメモリアル製品において、上記廃墓石が所要形状に造形された加工材を備えた構成としている。
【０００７】
これにより、加工材は所要形状に造形されているので、そのまま、あるいは、この加工材に種々の付属部材を付帯させるなどして、宗教用具，葬祭用具を始め、記念品となるメモリアル製品にすることができる。この場合、加工材には、文字，図形，記号，模様，絵画，写真等の装飾を施すことができる、また、装飾を施すことなく加工材をそのまま用いるようにしても良い。加工材を用いるので、汎用性が広くなり、廃墓石の利用範囲の拡大を図ることができる。また、メモリアル製品としたので、例えば、墓にゆかりの深い者、墓に係わり合いのある親族や関連者等が所持するようにすれば、信仰上の理由や心理的要因による忌避感情もなく、皆の心情を尊重することができるようになり、これを受容して、忘れ形見，記念品，思い出の品物等として、所有することができる。特に、近年増加傾向にある所謂「墓じまい（改葬）」の場合の記念として極めて有用になる。
【０００８】
そして、本発明においては、上記加工材の表面の全部若しくは一部が研磨されている構成としている。表面粗さＲａは、Ｒａ≦２．５μｍが望ましい。全部若しくは一部が研磨されているので、品質を向上させることができる。
【０００９】
本発明においては、上記加工材の外側面の輪郭の一部を、上記廃墓石の外側面の輪郭の一部を残存させた残存部で構成したことが有効である。廃墓石の外側面の輪郭の一部を残存させるので、残存部の造形加工を省略することができ、加工効率を向上させることができる。この残存部の外側面の輪郭の表面は、そのまま残しても良く、また、ある程度研磨しても良い。また、廃墓石の外側面の輪郭の一部を残存させるので、墓にゆかりの深い者、墓に係わり合いのある親族や関連者等、所持する者にとって、思い出が強く残ることになり、それだけ、忘れ形見，記念品，思い出の品物等としての価値を向上させることができる。
【００１０】
この場合、上記廃墓石として墓の中心となる石碑を用いたことが有効である。石碑とは、竿石とも言われ、墓の中心をなす。このため、シンボル部分を使用するので、より一層、忘れ形見，記念品，思い出の品物等としての価値を向上させることができる。
【００１１】
また、この場合、上記廃墓石として上記石碑から分断された該石碑の頭部を用いたことが有効である。石碑の頭部なので、加工材の外側面の輪郭の一部を、廃墓石の外側面の輪郭の一部を残存させて構成する場合には、輪郭の一部を利用しやすくなる。また、石碑の頭部なので、墓の中心でも更に主要部を用いることになり、より一層、忘れ形見，記念品，思い出の品物等としての価値を向上させることができる。
【００１２】
更に、必要に応じ、上記加工材に、文字，図形，記号，模様，絵画，写真の少なくとも何れかを有した装飾を施した構成としている。より一層、忘れ形見，記念品，思い出の品物等としての価値を向上させることができる。
【００１３】
本発明においては、上記加工材で構成され少なくとも文字が刻印された札体を備えた位牌であるメモリアル製品とすることができる。札体を支持する台座を備えても良い。
また、本発明においては、上記加工材で構成され少なくとも文字が刻印された表札であるメモリアル製品とすることができる。
本発明は、これらの製品に限定されない。
【００１４】
また、上記目的を達成するため、本発明の廃墓石を用いたメモリアル製品の製造方法は、墓を解体することにより生じる廃墓石を用いてメモリアル製品を製造する廃墓石を用いたメモリアル製品の製造方法において、
上記廃墓石を所要形状の加工材に造形する造形工程と、
上記造形工程で造形された加工材の表面の全部若しくは一部を研磨する研磨工程とを備えた構成としている。
【００１５】
これにより、造形工程において、廃墓石を所要形状の加工材に造形する。それから、研磨工程において、造形工程で造形された加工材の表面の全部若しくは一部を研磨する。表面粗さＲａは、Ｒａ≦２．５μｍが望ましい。その後、加工材を、そのまま、あるいは、この加工材に種々の付属部材を付帯させるなどして、宗教用具，葬祭用具を始め、記念品となるメモリアル製品にする。この場合、加工材に、文字，図形，記号，模様，絵画，写真等の装飾を施すことができる、また、装飾を施すことなく加工材をそのまま用いるようにしても良い。加工材を用いるので、汎用性が広くなり、廃墓石の利用範囲の拡大を図ることができる。また、全部若しくは一部が研磨されているので、品質を向上させることができる。
【００１６】
このメモリアル製品は、例えば、墓にゆかりの深い者、墓に係わり合いのある親族や関連者等が所持するようにすれば、信仰上の理由や心理的要因による忌避感情もなく、皆の心情を尊重することができるようになり、これを受容して、忘れ形見，記念品，思い出の品物等として、所有することができる。特に、近年増加傾向にある所謂「墓じまい（改葬）」の場合の記念として極めて有用になる。
【００１７】
そして、必要に応じ、上記造形工程において、上記加工材の外側面の輪郭の一部に、上記廃墓石の外側面の輪郭の一部からなる残存部が残存するように造形する構成としている。廃墓石の外側面の輪郭の一部を残存させるので、残存部の加工を省略することができ、加工効率を向上させることができる。この残存部の外側面の輪郭の表面は、そのまま残しても良く、また、研磨工程で、ある程度研磨しても良い。また、廃墓石の外側面の輪郭の一部を残存させるので、墓にゆかりの深い者、墓に係わり合いのある親族や関連者等、所持する者にとって、思い出が強く残ることになり、それだけ、忘れ形見，記念品，思い出の品物等としての価値を向上させることができる。
【００１８】
本発明においては、上記廃墓石として墓の中心となる石碑を用いたことが有効である。石碑とは、竿石とも言われ、墓の中心をなす。このため、シンボル部分を使用するので、より一層、忘れ形見，記念品，思い出の品物等としての価値を向上させることができる。
【００１９】
そして、必要に応じ、上記造形工程の前に、上記石碑から該石碑の頭部を分断する分断工程を備え、上記廃墓石として上記石碑から分断された該石碑の頭部を用いた構成としている。石碑の頭部なので、加工材の外側面の輪郭の一部を、廃墓石の外側面の輪郭の一部を残存させて構成する場合には、輪郭の一部を利用しやすくなる。また、石碑の頭部なので、墓の中心でも更に主要部を用いることになり、より一層、忘れ形見，記念品，思い出の品物等としての価値を向上させることができる。
【００２０】
また、必要に応じ、上記加工材に、文字，図形，記号，模様，絵画，写真の少なくとも何れかを有した装飾を施す装飾工程を備えた構成としている。より一層、メモリアル製品を、忘れ形見，記念品，思い出の品物等としての価値を向上させることができる。
【００２１】
そしてまた、本発明においては、上記メモリアル製品は、上記加工材で構成され少なくとも文字が刻印された札体と、該札体を支持する台座とを備えた位牌であり、上記台座を予め作成し、上記札体を上記予め作成した台座に取付ける取付け工程を備えた構成とすることができる。
【００２２】
また、本発明においては、上記メモリアル製品は、上記加工材で構成され少なくとも文字が刻印された表札である構成としている。
本発明に係るメモリアル製品は、これらの製品に限定されない。
【発明の効果】
【００２３】
本発明によれば、加工材を用いるので、汎用性が広くなり、廃墓石の利用範囲の拡大を図ることができる。また、廃墓石の加工材を用いたので、例えば、墓にゆかりの深い者、墓に係わり合いのある親族や関連者等が所持するようにすれば、信仰上の理由や心理的要因による忌避感情もなく、皆の心情を尊重することができるようになり、これを受容して、忘れ形見，記念品，思い出の品物等として、所有することができる。特に、近年増加傾向にある所謂「墓じまい（改葬）」の場合の記念として極めて有用になる。
【図面の簡単な説明】
【００２４】
【図１】本発明の第１の実施の形態に係る廃墓石を用いたメモリアル製品を廃墓石の一部との対応関係で示す斜視図である。
【図２】本発明の実施の形態に係る廃墓石を用いたメモリアル製品において、用いられる廃墓石の対象となる墓の一例を示す斜視図である。
【図３】本発明の第１の実施の形態に係る廃墓石を用いたメモリアル製品の製造方法において、分断工程（１）を示す図である。
【図４】本発明の第１の実施の形態に係る廃墓石を用いたメモリアル製品の製造方法において、第一造形工程（２）を示す図である。
【図５】本発明の第１の実施の形態に係る廃墓石を用いたメモリアル製品の製造方法において、第一研磨工程（３），第二造形工程（４）を示す図である。
【図６】本発明の第１の実施の形態に係る廃墓石を用いたメモリアル製品の製造方法において、第二研磨工程（５），装飾工程（６），取付け工程（７）を示す図である。
【図７】本発明の第１の実施の形態に係る廃墓石を用いたメモリアル製品の変形例を示す図である。
【図８】本発明の第２の実施の形態に係る廃墓石を用いたメモリアル製品を示す斜視図である。
【図９】本発明の実施の形態に係る廃墓石を用いたメモリアル製品において、用いられる廃墓石の対象となる別の墓の例を示す斜視図である。
【図１０】本発明の実施の形態に係る廃墓石を用いたメモリアル製品において、用いられる廃墓石の対象となるまた別の墓の例を示す斜視図である。
【発明を実施するための形態】
【００２５】
以下、添付図面に基づいて本発明の実施の形態に係る廃墓石を用いたメモリアル製品及び廃墓石を用いたメモリアル製品の製造方法について詳細に説明する。
図１には、第１の実施の形態に係るメモリアル製品Ｍを示す。このメモリアル製品Ｍは、墓を解体することにより生じる廃墓石を用いたものであり、文字が刻印された札体２と、札体２を支持する台座３とを備えた位牌１である。札体２は、墓を解体することにより生じる廃墓石が切断されて所要形状の板状に造形された加工材Ｋで構成されている。
【００２６】
一般に、墓の形態は種々あるが、例えば、図２に示すような形態の墓がある。この墓は、敷地に敷設される敷石１１に正面の入口を残して石製の外柵１２で囲繞し、奥に地中の骨堂（図示せず）を設け、その上に、石製の下台１３，中台１４，上台１５を積み重ね、上台１５上に所謂竿石といわれる石碑１０を立設している。下台１３の前面には石製の花立１６，香炉のある供物台１７を設けている。１８は石製の墓誌である。そして、所謂「墓じまい（改葬）」においては、これら墓を構成する部材が全て撤去され、そのうち石材は、廃墓石となる。
【００２７】
実施の形態では、廃墓石として墓の中心となる石碑１０（竿石）が用いられ、特に、石碑１０（竿石）から分断されたこの石碑１０の頭部２０が用いられる。石碑１０の頭部２０の上面部には、所謂香箱加工により形成され、曲面状の角部２１を有するとともに上面２３を有して上方に突出した矩形板状の突出部２２が設けられている。尚、石碑１０以外の廃墓石や、石碑１０でも不用部分は、従来技術で挙げたように、土木用の砕石などとして利用することができる。
【００２８】
札体２（加工材Ｋ）は、天面３０，正面３１，一対の側面３２，背面３３及び底面３４を備えた略矩形板状に形成されている。天面３０と側面３２との間のコーナー部３５，３６は、面取りされて湾曲形成されている。加工材Ｋの表面の全部若しくは一部は研磨されている。実施の形態では、天面３０，正面３１，一対の側面３２，背面３３が研磨されている。表面粗さＲａは、Ｒａ≦２．５μｍが望ましい。実施の形態では、鏡面形成されている。
【００２９】
また、加工材Ｋの外側面の輪郭の一部は、廃墓石の外側面の輪郭の一部を残存させた残存部４０で構成されている。詳しくは、図１に示すように、札体２（加工材Ｋ）の天面３０と側面３２部の一方のコーナー部３５、このコーナー部３５に連続する天面３０の一部が、石碑１０の頭部２０の突出部２２の湾曲した角部２１及びこれに連続する上面２３の一部を残存させた残存部４０として構成されている。
【００３０】
更に、札体２（加工材Ｋ）には、文字，図形，記号，模様，絵画，写真の少なく14:58 2016/12/26とも何れかを有した装飾が施されている。実施の形態では、札体２（加工材Ｋ）の正面３１に、文字５０が刻印されている。
【００３１】
次に、この位牌１からなるメモリアル製品Ｍの製造方法について説明する。この製造方法は、墓を解体することにより生じる廃墓石を用いてメモリアル製品Ｍを製造する方法であり、廃墓石として墓の中心となる石碑１０のうち、この石碑１０から分断された頭部２０を用いる。この製造方法は、図３乃至図６に示すように、（１）分断工程、（２）第一造形工程、（３）第一研磨工程、（４）第二造形工程、（５）第二研磨工程、（６）装飾工程、（７）取付け工程を備えている。以下、各工程に付いて説明する。
【００３２】
（１）分断工程
図３に示すように、廃墓石である石碑１０を分断し、石碑１０の頭部２０を得る。石碑１０の頭部２０の上面部には、所謂香箱加工により形成され、曲面状の角部２１及び上面２３を有し上方に突出した矩形板状の突出部２２が設けられている。
【００３３】
（２）第一造形工程
図４に示すように、周知の切断機を用い、先ず、図４（ａ）（ｂ）に示すように、石碑１０の頭部２０の突出部２２において、１辺の湾曲した角部２１とこれに連続する上面２３の一部を残存させて、ブロック状に切断する。そして、図４（ｃ）に示すように、切断されたブロック２０ａの角部２１に平行な角部２１ａを湾曲状に切断する。
【００３４】
（３）第一研磨工程
図５に示すように、周知の研磨機を用い、ブロック２０ａの切断面を底面を除いて研磨する。表面粗さＲａは、Ｒａ≦２．５μｍが望ましい。実施の形態では、鏡面形成される。例えば、本磨き（艶出し加工）と、水磨き（光沢を出さない過程の磨き）を行う。この場合、１辺の湾曲した角部２１とこれに連続する上面２３の表面は、そのまま残しても良く、また、この第一研磨工程で、ある程度研磨しても良い。必要に応じて研磨する。
【００３５】
（４）第二造形工程
図５に示すように、ブロック２０ａを、所要形状の板状の加工材Ｋに切断する。加工材Ｋの外側面の輪郭の一部に、廃墓石の外側面の輪郭の一部からなる残存部４０が残存するように切断する。即ち、札体２（加工材Ｋ）の天面３０と側面３２のコーナー部３５、このコーナー部３５に連続する天面３０の一部が、石碑１０の頭部２０の突出部２２の湾曲した角部２１及びこれに連続する上面２３の一部を残存させた残存部４０として構成されるように切断する。これにより、札体２（加工材Ｋ）は、天面３０，正面３１，一対の側面３２，背面３３及び底面３４を備えた略矩形板状に形成される。天面３０と側面３２との間のコーナー部３５，３６は、湾曲形成されるが、一方のコーナー部３５は、石碑１０の頭部２０の突出部２２の湾曲した角部２１で構成される。廃墓石の外側面の輪郭の一部を残存させるので、残存させる部分の切断加工を省略することができ、加工効率を向上させることができる。尚、札体２（加工材Ｋ）は、複数枚切断することができる。
【００３６】
（５）第二研磨工程
図６に示すように、札体２（加工材Ｋ）の背面３３を研磨する。表面粗さＲａは、Ｒａ≦２．５μｍが望ましい。実施の形態では、鏡面形成される。例えば、本磨き（艶出し加工）と、水磨き（光沢を出さない過程の磨き）を行う。
【００３７】
（６）装飾工程
図６に示すように、加工材Ｋに、文字，図形，記号，模様，絵画，写真の少なくとも何れかを有した装飾を施す。実施の形態では、加工材Ｋの正面３１に文字５０を刻印する。文字５０が見えにくいときは、エナメルで色付けする。エナメルの色は、黒，白，金，銀など、適宜の色を選択することができる。
【００３８】
（７）取付け工程
図６に示すように、台座３を予め作成しておき、この予め作成した台座３に、札体２を取付ける。
【００３９】
このように製造されたメモリアル製品Ｍ（位牌１）においては、加工材Ｋを位牌１の札体２にしたので、汎用性が広くなり、廃墓石の利用範囲の拡大を図ることができる。また、これを、例えば、墓にゆかりの深い者、墓に係わり合いのある親族や関連者等が所持するようにすれば、信仰上の理由や心理的要因による忌避感情もなく、皆の心情を尊重することができるようになり、これを受容して、忘れ形見，記念品，思い出の品物等として、所有することができる。特に、近年増加傾向にある所謂「墓じまい（改葬）」の場合の記念として極めて有用になる。
【００４０】
また、本メモリアル製品Ｍ（位牌１）の札体２（加工材Ｋ）の表面の全部若しくは一部は、研磨されているので、品質を向上させることができる。また、廃墓石として墓の中心となる石碑１０の頭部２０を用いたので、シンボル部分を使用することになり、忘れ形見，記念品，思い出の品物等としての価値を向上させることができる。特に、札体２（加工材Ｋ）の外側面の輪郭の一部を、廃墓石の外側面の輪郭の一部を残存させた残存部４０で構成したので、墓にゆかりの深い者、墓に係わり合いのある親族や関連者等、所持する者にとって、思い出が強く残ることになり、それだけ、忘れ形見，記念品，思い出の品物等としての価値を向上させることができる。尚、位牌１は、１つの廃墓石から複数作成して良いことは勿論である。
【００４１】
図７には、メモリアル製品Ｍとしての位牌１の変形例を示す。これは、卵形（紡錘形）にした札体２（加工材Ｋ）からなる。この札体２（加工材Ｋ）に、文字５０が刻印されている。上記と同様に台座を設けても良い。卵形（紡錘形）のモチーフなので、夫婦円満，家庭円満，家族の和，先祖崇拝などを表出することができる、また、刻印する文字５０に想いを書き記すこともでき、先祖や家族に対する感謝の気持ちを残すことができるようになる。また、この廃墓石を用いた位牌１は、永代供養墓などに一緒に収めるようにしても良く、また、仏壇や墓を持つことができないものに対しても極めて有用になる。
【００４２】
図８には、第２の実施の形態に係るメモリアル製品Ｍを示す。これは、加工材Ｋで構成され文字５０及び模様５１が刻印された矩形板状の表札６０である。その製造方法は、上記の位牌１の加工材Ｋと同様に、廃墓石である石碑１０を分断し、石碑１０の頭部２０を得、この頭部２０を所要形状の板状の加工材Ｋに切断する。この切断においては、加工材Ｋの外側面の輪郭の一部に、廃墓石の外側面の輪郭の一部からなる残存部４０が残存するように切断する。例えば、表札６０の前面に頭部２０の表面が残存するようにする。その後、必要部を研磨し、前面に苗字等の装飾を刻印して仕上げる。
【００４３】
これによっても、加工材Ｋを表札６０にしたので、汎用性が広くなり、廃墓石の利用範囲の拡大を図ることができる。また、これを、例えば、墓にゆかりの深い者、墓に係わり合いのある親族や関連者等が使用するようにすれば、信仰上の理由や心理的要因による忌避感情もなく、皆の心情を尊重することができるようになり、これを受容して、忘れ形見，記念品，思い出の品物等として、所有することができる。特に、近年増加傾向にある所謂「墓じまい（改葬）」の場合の記念として極めて有用になる。
【００４４】
また、廃墓石として墓の中心となる石碑１０の頭部２０を用いたので、シンボル部分を使用することになり、忘れ形見，記念品，思い出の品物等としての価値を向上させることができる。特に、表札の外側面の輪郭の一部を、廃墓石の外側面の輪郭の一部を残存させて構成したので、墓にゆかりの深い者、墓に係わり合いのある親族や関連者等、所持する者にとって、思い出が強く残ることになり、それだけ、忘れ形見，記念品，思い出の品物等としての価値を向上させることができる。
【００４５】
尚、墓の形態は種々あるが、例えば、図９に示すような墓の石碑１０（竿石）の場合でも、本発明を適用できる。また、図１０に示すように、五輪塔，宝篋印塔，宝塔などの場合は、玉などといわれる中心部を石碑１０として用い、本発明を適用できることは勿論である。また、上記実施の形態では、廃墓石として墓の石碑１０（竿石）を用いたが、必ずしもこれに限定されるものではなく、どのような墓の石材を廃墓石として用いても良いことは勿論である。
【００４６】
尚また、上記実施の形態では、加工材Ｋを、位牌１や表札６０に用いた例で説明したが、必ずしもこれに限定されるものではなく、例えば、記念の盾や、プレート、あるいは、オーディオ器機を載せるオーディオボード等、どのような板材等の形状に加工しても良く、適宜変更して差支えない。また、これらを作成するに当たり、造形工程や研磨工程の回数や手順は適宜に定めて良いことは勿論である。要するに、本発明は、上述した本発明の実施の形態に限定されず、当業者は、本発明の新規な教示及び効果から実質的に離れることなく、これら例示である実施の形態に多くの変更を加えることが容易であり、これらの多くの変更は本発明の範囲に含まれる。
【符号の説明】
【００４７】
Ｍ  メモリアル製品
Ｋ  加工材
１  位牌（メモリアル製品）
２  札体（加工材Ｋ）
３  台座
１０  石碑（竿石：廃墓石）
２０  頭部（廃墓石）
２１  角部
２２  突出部
２３  上面
３０  天面
３１  正面
３２  側面
３３  背面
３４  底面
３５  一方のコーナー部
３６  他方のコーナー部
４０  残存部
５０  文字
５１  模様
（１）分断工程
（２）第一造形工程
（３）第一研磨工程
（４）第二造形工程
（５）第二研磨工程
（６）装飾工程
（７）取付け工程
６０  表札（メモリアル製品）
【図１】
2018102508.tif 000003
【図２】
2018102508.tif 000004
【図３】
2018102508.tif 000005
【図４】
2018102508.tif 000006
【図５】
2018102508.tif 000007
【図６】
2018102508.tif 000008
【図７】
2018102508.tif 000009
【図８】
2018102508.tif 000010
【図９】
2018102508.tif 000011
【図１０】
2018102508.tif 000012